(57)【要約】【課題】電極が層状に重なった電極組立体の寸法を簡便に調整できる寸法調整装置を提供すること。【解決手段】正極電極１３及び負極電極１４が層状に重なった電極組立体１２の寸法を調整する寸法調整装置３０であって、電極組立体１２の端面のうち、積層方向ＤＳと直交する第２方向Ｄ２の両端に位置する端面１２ｅと端面１２ｆとに跨って延びるように配置される押圧部材３１と、押圧部材３１における、端面１２ｅ側の第１凹部３３ａに対して、積層方向ＤＳに沿って荷重を付与する第１付与機構４０ａと、押圧部材３１における、１２ｆ側の第２凹部３３ｂに対して、積層方向ＤＳに沿って荷重を付与する第２付与機構４０ｂと、第１凹部３３ａに付与される荷重を変更する第１変更機構４７ａと、第２凹部３３ｂに付与される荷重を変更する第２変更機構４７ｂと、を備えた。【選択図】図３
2015138592.tif 000002
【特許請求の範囲】
【請求項１】
複数の電極が層状に重なった電極組立体の寸法を調整する寸法調整装置であって、
前記電極組立体の端部のうち、前記電極の重なり方向と直交する所定方向の両端に位置する第１端部と第２端部とに跨って延びるように配置される押圧部材と、
前記押圧部材における、前記第１端部側の第１領域に対して、前記重なり方向に沿って荷重を付与する第１付与機構と、
前記押圧部材における、前記第２端部側の第２領域に対して、前記重なり方向に沿って荷重を付与する第２付与機構と、
前記第１領域に付与される荷重を変更する第１変更機構と、
前記第２領域に付与される荷重を変更する第２変更機構と、を備えた寸法調整装置。
【請求項２】
前記第１付与機構は、前記第１領域に接触される第１接触部を有する第１ロッドと、前記第１ロッドに対して前記重なり方向に沿って荷重を付与する第１スプリングと、を有し、
前記第２付与機構は、前記第２領域に接触される第２接触部を有する第２ロッドと、前記第２ロッドに対して前記重なり方向に沿って荷重を付与する第２スプリングと、を有する請求項１に記載の寸法調整装置。
【請求項３】
前記第１変更機構は、前記第１スプリングの圧縮量を変更することにより前記第１領域に付与される荷重を変更可能に構成されており、
前記第２変更機構は、前記第２スプリングの圧縮量を変更することにより前記第２領域に付与される荷重を変更可能に構成されている請求項２に記載の寸法調整装置。
【発明の詳細な説明】
【技術分野】
【０００１】
本発明は、複数の電極が層状に重なった電極組立体の寸法を調整する寸法調整装置に関する。
【背景技術】
【０００２】
従来から、車両には、電動機などへの供給電力を蓄える蓄電装置として、リチウムイオン二次電池やニッケル水素二次電池などが搭載されている。一般的に、二次電池は、活物質層を有する正極用の電極及び負極用の電極が層状に重なった電極組立体と、該電極組立体を収容するケースとを備えている。このような二次電池の製造工程では、正極用の電極と負極用の電極とを重ね合わせて電極組立体１２としたのちに、所定の荷重を付与し、各電極の重なり方向における電極組立体の寸法を所定寸法に調整することが行われている。
【０００３】
そして、所定の部材に荷重を付与する装置としては、例えば特許文献１に記載の装置が提案されている。特許文献１では、加圧用シャンクから付与される荷重を２つの加圧側シールブレードに対して均等に分配して付与し、ケーシングの熱溶着が不均一となることを抑制している。
【先行技術文献】
【特許文献】
【０００４】
【特許文献１】特開２００２−２９８７９９号公報
【発明の概要】
【発明が解決しようとする課題】
【０００５】
しかしながら、上述した電極組立体では、各電極の活物質層の厚さが厳密に一定ではないことから、電極組立体の各部に対して均等に荷重を付与したとしても、各電極の重なり方向における電極組立体の各部寸法を等しく所定寸法に調整することが困難である。
【０００６】
この発明は、上記従来技術に存在する問題点に着目してなされたものであり、その目的は、電極が層状に重なった電極組立体の寸法を簡便に調整できる寸法調整装置を提供することにある。
【課題を解決するための手段】
【０００７】
上記課題を解決する電極組立体の寸法調整装置は、複数の電極が層状に重なった電極組立体の寸法を調整する寸法調整装置であって、前記電極組立体の端部のうち、前記電極の重なり方向と直交する所定方向の両端に位置する第１端部と第２端部とに跨って延びるように配置される押圧部材と、前記押圧部材における、前記第１端部側の第１領域に対して、前記重なり方向に沿って荷重を付与する第１付与機構と、前記押圧部材における、前記第２端部側の第２領域に対して、前記重なり方向に沿って荷重を付与する第２付与機構と、前記第１領域に付与される荷重を変更する第１変更機構と、前記第２領域に付与される荷重を変更する第２変更機構と、を備えたことを要旨とする。
【０００８】
この構成によれば、押圧部材の第１領域と第２領域とで、付与される荷重を各別に変更できる。このため、活物質層などの厚さの変動に起因して、層状に重なった電極の厚さの合計が電極組立体の第１縁部側と第２縁部側とで異なる場合であっても、電極の重なり方向における電極組立体の寸法を所定寸法にそれぞれ調整できる。したがって、電極が層状に重なった電極組立体の寸法を簡便に調整できる。
【０００９】
上記電極組立体の寸法調整装置は、前記第１付与機構は、前記第１領域に接触される第１接触部を有する第１ロッドと、前記第１ロッドに対して前記重なり方向に沿って荷重を付与する第１スプリングと、を有し、前記第２付与機構は、前記第２領域に接触される第２接触部を有する第２ロッドと、前記第２ロッドに対して前記重なり方向に沿って荷重を付与する第２スプリングと、を有することが好ましい。
【００１０】
この構成によれば、ロッドとスプリングを用いた簡便な構成により、押圧部材の第１領域、及び第２領域に対して荷重を付与することができる。したがって、電極組立体の寸法を簡便に調整できる。
【００１１】
上記電極組立体の寸法調整装置は、前記第１変更機構は、前記第１スプリングの圧縮量を変更することにより前記第１領域に付与される荷重を変更可能に構成されており、前記第２変更機構は、前記第２スプリングの圧縮量を変更することにより前記第２領域に付与される荷重を変更可能に構成されていることが好ましい。
【００１２】
この構成によれば、スプリングの圧縮量を変更する簡便な構成により、第１領域や第２領域に付与される荷重を各別に変更できる。したがって、電極組立体の寸法をさらに簡便に調整できる。
【発明の効果】
【００１３】
本発明によれば、電極が層状に重なった電極組立体の寸法を簡便に調整できる。
【図面の簡単な説明】
【００１４】
【図１】部分的に分解した二次電池を模式的に示す斜視図。
【図２】分解した電極組立体を模式的に示す斜視図。
【図３】（ａ）は、寸法調整装置を模式的に示す平面図、（ｂ）は、（ａ）の１−１線断面図。
【発明を実施するための形態】
【００１５】
以下、二次電池の製造工程において用いられる寸法調整装置の一実施形態について説明する。最初に、二次電池１０について説明する。
図１に示すように、蓄電装置としての二次電池１０は、金属製である直方体状のケース１１を有する。ケース１１は、例えばアルミニウム製やアルミニウム合金製である。ケース１１は、有底四角筒状のケース本体１１ａと、ケース本体１１ａの開口部を塞ぐ蓋１１ｂとを有する。ケース１１には、電極組立体１２が収容されている。また、ケース１１には、図示しない電解質（電解液）が充填されている。本実施形態の二次電池１０は、リチウムイオン二次電池である。
【００１６】
図２に示すように、電極組立体１２は、複数枚の正極電極１３と複数枚の負極電極１４とが間にセパレータ１５を介在させた状態で交互に重なった積層型の電極組立体である。正極電極１３、負極電極１４、及びセパレータ１５は、矩形シート状である。正極電極１３と負極電極１４とは、セパレータ１５によって相互に絶縁されている。以下の説明では、電極組立体１２における各電極１３，１４の重なり方向を単に「積層方向ＤＳ」と示す。
【００１７】
正極電極１３は、略矩形状である正極用の金属箔１３ａと、その両面に形成された正極用の活物質層１３ｂと、金属箔１３ａの一縁部（一辺）から突出する集電タブとしての正極タブ１３ｃとを有する。金属箔１３ａは、例えばアルミニウム箔である。また、負極電極１４は、略矩形状である金属箔１４ａと、その両面に形成された負極用の活物質層１４ｂと、金属箔１４ａの一縁部（一辺）から突出する集電タブとしての負極タブ１４ｃとを有する。金属箔１４ａは、例えば銅箔である。
【００１８】
図１に示すように、電極組立体１２は、全体が略直方体状である。電極組立体１２は、積層方向ＤＳの両端に端面１２ａと端面１２ｂを有する。電極組立体１２は、積層方向ＤＳと直交する第１方向Ｄ１の両端に端面１２ｃと端面１２ｄを有する。電極組立体１２は、積層方向ＤＳ及び第１方向Ｄ１と直交する所定方向としての第２方向Ｄ２の両端に第１端部としての端面１２ｅと第２端部としての端面１２ｆを有する。本実施形態の端面１２ａ〜１２ｆは、何れも電極組立体１２の縁部（端部）の一部である。
【００１９】
そして、電極組立体１２は、複数の正極電極１３が積層されていることによって、複数の正極タブ１３ｃが層状に重なった集電タブ群としての正極タブ群１３ｄを有する。正極タブ群１３ｄは、電極組立体１２の端面１２ｃから突出している。電極組立体１２は、複数の負極電極１４が積層されることによって、複数の負極タブ１４ｃが層状に重なった集電タブ群としての負極タブ群１４ｄを有する。負極タブ群１４ｄは、電極組立体１２の端面１２ｃから突出している。
【００２０】
また、電極組立体１２は、正極電極１３、負極電極１４、及びセパレータ１５を相互に位置決めされた状態で保持する複数（本実施形態では４つ）の保持テープ１６を有する。各保持テープ１６は、帯状である。長手方向における各保持テープ１６の両端は、それぞれ電極組立体１２の端面１２ａ，１２ｂに固定されている。各保持テープ１６は、端面１２ｃ，１２ｄの一部を覆っている。
【００２１】
二次電池１０は、ケース１１の外側に突出するように蓋１１ｂに固定された正極端子１７と、ケース１１の外側に突出するように蓋１１ｂに固定された負極端子１８とを有する。二次電池１０は、正極タブ群１３ｄと正極端子１７とを電気的に接続する導電部材２１を有する。正極タブ群１３ｄは、該正極タブ群１３ｄを構成する正極タブ１３ｃを積層方向ＤＳに寄せ集めた状態で導電部材２１と溶接されている。
【００２２】
また、二次電池１０は、負極タブ群１４ｄと負極端子１８とを電気的に接続する導電部材２２を有する。負極タブ群１４ｄは、該負極タブ群１４ｄを構成する負極タブ１４ｃを積層方向ＤＳに寄せ集めた状態で導電部材２２と溶接されている。
【００２３】
次に、電極組立体１２の寸法調整装置３０について説明する。寸法調整装置３０は、積層方向ＤＳに沿った電極組立体１２の寸法（以下、説明の便宜上「厚さ」と示す）を所定寸法に調整するための装置である。
【００２４】
図３（ａ）及び図３（ｂ）に示すように、寸法調整装置３０は、電極組立体１２の端面１２ａと面接触するように配置されるとともに、第２方向Ｄ２の両端に位置する端面１２ｅと端面１２ｆとに跨って延びるように配置される矩形板状の押圧部材３１を有する。即ち、押圧部材３１は、正極タブ群１３ｄや負極タブ群１４ｄが突出する端面１２ｃに沿って延びるように配置される。また、押圧部材３１は、電極組立体１２の端面１２ａと接触する接触面を有する。
【００２５】
押圧部材３１は、上記接触面とは反対側の面に、第１領域としての第１凹部３３ａと第２領域としての第２凹部３３ｂとを有する。第１凹部３３ａは、押圧部材３１において端面１２ｅ側に設けられている一方で、第２凹部３３ｂは、押圧部材３１において端面１２ｆ側に設けられている。
【００２６】
また、寸法調整装置３０は、電極組立体１２の端面１２ｂと面接触するように配置されるとともに、第２方向Ｄ２の両端に位置する端面１２ｅと端面１２ｆとに跨って延びるように配置される矩形板状の支持部材３２を有する。即ち、支持部材３２は、電極組立体１２の端面１２ｃに沿って延びるように配置される。支持部材３２は、電極組立体１２の端面１２ｂと接触する接触面を有する。押圧部材３１及び支持部材３２は、例えばアルミニウムやアルミニウム合金などの金属製である。
【００２７】
また、寸法調整装置３０は、押圧部材３１に荷重を付与するための荷重機構部３４を有する。荷重機構部３４は、第２方向Ｄ２に沿って延びる略矩形板状の本体部３５と、本体部３５から第２方向Ｄ２に沿って突出するレバー３６とを有する。本体部３５は、第１凹部３３ａに対して、積層方向ＤＳに沿って荷重を付与する第１付与機構４０ａと、第２凹部３３ｂに対して、積層方向ＤＳに沿って荷重を付与する第２付与機構４０ｂとを有する。
【００２８】
第１付与機構４０ａは、本体部３５に対して、積層方向ＤＳに沿って移動可能に支持された第１ロッド４１ａを有する。第１ロッド４１ａの先端には、略球状の第１接触部４２ａが固定されている一方で、第１ロッド４１ａの基端には、円盤状の第１ロッド側支持板４４ａが固定されている。
【００２９】
また、第１付与機構４０ａは、第１ロッド側支持板４４ａに支持されているとともに、第１ロッド４１ａを積層方向ＤＳのうち電極組立体１２へ向かう方向へ付勢する第１スプリング４３ａを有する。
【００３０】
本体部３５は、略円柱状の穴の開口部が蓋３７で覆われた第１収容室３５ａと第２収容室３５ｂとを有している。そして、第１スプリング４３ａ及び第１ロッド側支持板４４ａは、第１収容室３５ａに収容されている。
【００３１】
また、第１収容室３５ａにおいて、第１スプリング４３ａの蓋３７側には、円盤状の第１蓋側支持板４５ａが配設されている。即ち、第１スプリング４３ａは、第１ロッド側支持板４４ａと第１蓋側支持板４５ａとの間に配置されている。第１蓋側支持板４５ａにおいて、蓋３７側の面には、先端に傾斜部を有する複数の傾斜壁４８ａが同一円上に配設されている。
【００３２】
蓋３７のうち第１収容室３５ａを覆う部分には、積層方向ＤＳに沿って設定された軸線まわりで回転可能に支持された第１回転部４６ａが配設されている。第１回転部４６ａにおいて、第１蓋側支持板４５ａ側の面には、傾斜壁４８ａの傾斜部と平行に傾斜する傾斜部を有する複数の傾斜壁４９ａが同一円上に配設されている。
【００３３】
本実施形態では、第１回転部４６ａを軸線回りで回転させることにより、傾斜壁４８ａと傾斜壁４９ａとの係止位置が変化し、各支持板４４ａ，４５ａ同士が離間又は近接する。即ち、本実施形態では、第１蓋側支持板４５ａを積層方向ＤＳに沿って移動させ、第１スプリング４３ａの圧縮量（圧縮率）を任意に変更できるように構成されている。第１蓋側支持板４５ａと第１回転部４６ａは、第１凹部３３ａに付与される荷重を変更する第１変更機構４７ａを構成する。
【００３４】
第２付与機構４０ｂは、本体部３５に対して、積層方向ＤＳに沿って移動可能に支持された第２ロッド４１ｂを有する。第２ロッド４１ｂの先端には、略球状の第２接触部４２ｂが固定されている一方で、第２ロッド４１ｂの基端には、円盤状の第２ロッド側支持板４４ｂが固定されている。
【００３５】
また、第２付与機構４０ｂは、第２ロッド側支持板４４ｂに支持されているとともに、第２ロッド４１ｂを積層方向ＤＳのうち電極組立体１２へ向かう方向へ付勢する第２スプリング４３ｂを有する。第２スプリング４３ｂ及び第２ロッド側支持板４４ｂは、第２収容室３５ｂに収容されている。
【００３６】
また、第２収容室３５ｂにおいて、第２スプリング４３ｂの蓋３７側には、円盤状の第２蓋側支持板４５ｂが配設されている。即ち、第２スプリング４３ｂは、第２ロッド側支持板４４ｂと第２蓋側支持板４５ｂとの間に配置されている。第２蓋側支持板４５ｂにおいて、蓋３７側の面には、先端に傾斜部を有する複数の傾斜壁４８ｂが同一円上に配設されている。
【００３７】
蓋３７のうち第２収容室３５ｂを覆う部分には、積層方向ＤＳに沿って設定された軸線まわりで回転可能に支持された第２回転部４６ｂが配設されている。第２回転部４６ｂにおいて、第２蓋側支持板４５ｂ側の面には、傾斜壁４８ｂの傾斜部と平行に傾斜する傾斜部を有する複数の傾斜壁４９ｂが同一円上に配設されている。
【００３８】
本実施形態では、第２回転部４６ｂを軸線回りで回転させることにより、傾斜壁４８ｂと傾斜壁４９ｂとの係止位置が変化し、各支持板４４ｂ，４５ｂ同士が離間又は近接する。即ち、本実施形態では、第２蓋側支持板４５ｂを積層方向ＤＳに沿って移動させ、第２スプリング４３ｂの圧縮量（圧縮率）を任意に変更できるように構成されている。第２蓋側支持板４５ｂと第２回転部４６ｂは、第２凹部３３ｂに付与される荷重を変更する第２変更機構４７ｂを構成する。
【００３９】
また、寸法調整装置３０は、支持部材３２、電極組立体１２、押圧部材３１、及び荷重機構部３４を位置決めした状態で、各方向ＤＳ，Ｄ１，Ｄ２に沿って相互に移動しないように保持する第１保持部材５０と第２保持部材５１とを有する。各保持部材５０，５１は、第２方向Ｄ２における電極組立体１２の両端に配置される。
【００４０】
第１保持部材５０は、積層方向ＤＳに沿って延びる略矩形板状である。第１保持部材５０は、支持部材３２に係止される第１係止部５０ａと、荷重機構部３４のうち蓋３７に係止される第２係止部５０ｂとを有する。第１係止部５０ａは、積層方向ＤＳにおける第１保持部材５０の両端部のうち、支持部材３２側の端部に設けられている。第２係止部５０ｂは、積層方向ＤＳにおける第１保持部材５０の両端部のうち、蓋３７側の端部に設けられている。
【００４１】
第２保持部材５１は、積層方向ＤＳに沿って延びる略矩形板状である。第２保持部材５１は、支持部材３２に係止される第１係止部５１ａと、荷重機構部３４のうちレバー３６に係止される第２係止部５１ｂとを有する。第１係止部５１ａは、積層方向ＤＳにおける第２保持部材５１の両端部のうち、支持部材３２側の端部に設けられている。第２係止部５１ｂは、積層方向ＤＳにおける第２保持部材５１の両端部のうち、レバー３６側の端部に設けられている。
【００４２】
次に、寸法調整装置３０を用いた二次電池１０の製造方法について、作用とともに説明する。
まず、図３に示すように、正極電極１３と負極電極１４とを間にセパレータ１５を介在させた状態で交互に積層し、電極組立体１２を形成する。次に、電極組立体１２の端面１２ａに押圧部材３１を接触させる一方で、電極組立体１２の端面１２ｂに支持部材３２を接触させ、電極組立体１２、押圧部材３１、及び支持部材３２を重ね合わせる。このとき、押圧部材３１、及び支持部材３２は、電極組立体１２の端面１２ｅ，１２ｆに跨って、且つ電極組立体１２の端面１２ｃに沿って延びるように配置する。
【００４３】
次に、押圧部材３１に荷重機構部３４を載置する。このとき、第１ロッド４１ａの第１接触部４２ａを第１凹部３３ａにはめ込むとともに、第２ロッド４１ｂの第２接触部４２ｂを第２凹部３３ｂにはめ込む。これにより、押圧部材３１に対して荷重機構部３４を容易に位置決めできる。
【００４４】
次に、第１保持部材５０及び第２保持部材５１を係止させることによって、支持部材３２、電極組立体１２、押圧部材３１、及び荷重機構部３４が各方向ＤＳ，Ｄ１，Ｄ２に沿って相互に移動しないように保持する。
【００４５】
次に、第１回転部４６ａを軸線回りで回転させることにより、各支持板４４ａ，４５ａ同士を離間又は近接させて、第１スプリング４３ａによる付勢力、即ち第１ロッド４１ａを介して押圧部材３１の第１凹部３３ａに付与される荷重が所定の荷重となるように、第１スプリング４３ａの圧縮量を調整する。
【００４６】
同様に、第２回転部４６ｂを軸線回りで回転させることにより、各支持板４４ｂ，４５ｂ同士を離間又は近接させ、第２スプリング４３ｂによる付勢力、即ち第２ロッド４１ｂを介して押圧部材３１の第２凹部３３ｂに付与される荷重が所定の荷重となるように、第２スプリング４３ｂの圧縮量を調整する。
【００４７】
一般的に、正極電極１３や負極電極１４の活物質層の厚さには、活物質を含む活物質合剤の塗布量の変動によってバラツキが生じる。このため、電極組立体１２では、厚さが必ずしも均一にならず、電極組立体１２の全体に対して均等に荷重を付与しても、電極組立体１２の厚さを均一にすることが困難である。
【００４８】
これに対して、本実施形態の寸法調整装置３０では、第１付与機構４０ａと第２付与機構４０ｂとで、各別に押圧部材３１に付与する荷重を変更することができる。このため、電極組立体１２の厚さが、均一且つ規定の厚さとなるように、第１付与機構４０ａ及び第２付与機構４０ｂで付与する荷重をそれぞれ設定することができる。
【００４９】
次に、図１に示すように、保持テープ１６を貼り付けることにより、正極電極１３、負極電極１４、及びセパレータ１５を相互に位置決めされた状態で保持する。次に、正極タブ群１３ｄを構成する複数の正極タブ１３ｃを寄せ集めつつ導電部材２１と溶接する。同様に、負極タブ群１４ｄを構成する複数の負極タブ１４ｃを寄せ集めつつ導電部材２２と溶接する。
【００５０】
このとき、本実施形態では、電極組立体１２が均一な厚さに調整された状態のまま、保持テープ１６によって保持されていることから、正極タブ群１３ｄと負極タブ群１４ｄの厚さも略同一に調整されている。したがって、各タブ群１３ｄ，１４ｄと導電部材２１，２２との溶接を簡便に行える。
【００５１】
例えば、電極組立体１２の全体に対して均等に荷重を付与する構成では、必ずしも電極組立体１２の厚さを均一にできないことから、片方の集電タブ群における厚さが規定よりも大きくなってしまう可能性がある。このような場合には、集電タブを寄せ集めるときに、導電部材から最も離間した集電タブの基端部における張力が高くなり、集電タブ群と導電部材との溶接が困難となる可能性がある。本実施形態では、このような問題を好適に解決できる。
【００５２】
次に、導電部材２１と正極端子１７とを接続する。また、導電部材２２と負極端子１８とを接続する。次に、各端子１７，１８をケース１１から突出させた状態で電極組立体１２をケース本体１１ａに収容するとともに、該ケース本体１１ａの開口部を蓋１１ｂで封止する。その後、ケース１１に電解質を充電して二次電池１０が完成される。
【００５３】
上記実施形態によれば、以下に示す効果を得ることができる。
（１）押圧部材３１の第１凹部３３ａと第２凹部３３ｂとで、付与する荷重を各別に変更できる。このため、活物質層などの厚さの変動に起因して、重ね合された電極の厚さの合計が電極組立体１２の端面１２ｅ側と端面１２ｆ側とで異なる場合であっても、電極組立体１２の厚さを所定寸法にそれぞれ調整できる。したがって、電極が層状に重なった電極組立体１２の寸法を簡便に調整できる。
【００５４】
（２）ロッド４１ａ，４１ｂとスプリング４３ａ，４３ｂを用いた簡便な構成により、押圧部材３１の第１凹部３３ａ及び第２凹部３３ｂに対して荷重を付与できる。したがって、電極組立体１２の寸法を簡便に調整できる。
【００５５】
（３）各スプリング４３ａ，４３ｂの圧縮量を変更する簡便な構成により、第１凹部３３ａや第２凹部３３ｂに付与される荷重を各別に変更できる。したがって、電極組立体１２の寸法をさらに簡便に調整できる。
【００５６】
（４）第１接触部４２ａは第１凹部３３ａにおいて押圧部材３１と接触させる一方で、第２接触部４２ｂは第２凹部３３ｂにおいて押圧部材３１と接触させる。したがって、荷重を付与する位置を容易に位置決めできる。
【００５７】
（５）即ち、押圧部材３１に対して荷重機構部３４を簡便に位置決めできる。
実施形態は前記に限定されるものではなく、例えば、次のように具体化してもよい。
○  第１付与機構４０ａ及び第２付与機構４０ｂは、例えばスプリングに代えてゴムなどの弾性体を備えていてもよく、エアシリンダやオイルシリンダなど荷重を変更可能な構成であってもよい。
【００５８】
○  寸法調整装置３０は、押圧部材３１及び支持部材３２の少なくとも一方について、複数備えていてもよい。この場合、寸法調整装置３０は、押圧部材３１毎に第１付与機構４０ａ及び第２付与機構４０ｂを有しているとよい。
【００５９】
○  寸法調整装置３０は、３つ以上の付与機構を備えていてもよい。
○  第１凹部３３ａ及び第２凹部３３ｂの少なくとも一方を省略してもよい。
○  各付与機構４０ａ，４０ｂで荷重を付与する領域の位置を変更してもよい。
【００６０】
○  押圧部材３１及び支持部材３２の少なくとも一方は、第１方向Ｄ１沿って延びるとともに、電極組立体１２の端面１２ｃと端面１２ｄとに跨って配置されてもよい。即ち、押圧部材３１及び支持部材３２は、正極タブ群１３ｄや負極タブ群１４ｄが突出する端面１２ｃに沿って延びるように配置されなくてもよい。
【００６１】
○  押圧部材３１及び支持部材３２の形状や大きさを変更してもよい。
○  正極電極１３は、片面に活物質層１３ｂを有していてもよい。同様に、負極電極１４は、片面に活物質層１４ｂを有していてもよい。
【００６２】
○  電極組立体１２は、帯状の正極電極１３と帯状の負極電極１４とが間に帯状のセパレータ１５を介在させた状態で捲回された捲回型の電極組立体であってもよい。
○  寸法調整装置３０は、二次電池１０の製造設備としての製造ラインに組み込まれていてもよい。製造ラインには、寸法調整装置３０の他に、金属箔に活物質合剤を塗布して活物質層を形成する装置や、各電極１３，１４を積層する装置などが含まれる。
【００６３】
○  二次電池１０は、リチウムイオン二次電池に限らず、ニッケル水素二次電池やニッケルカドミウム二次電池等の他の二次電池であってもよい。
○  二次電池１０に限らず、例えば、電気二重層キャパシタやリチウムイオンキャパシタ等のような蓄電装置であってもよい。
【００６４】
以下に示す技術的思想は上記実施形態から把握できる。
（イ）前記押圧部材は、第１凹部と第２凹部とを有しており、前記第１領域は、前記第１凹部内の領域であり、前記第２領域は、前記第２凹部内の領域であることが好ましい。
【００６５】
（ロ）前記電極組立体は、該電極組立体の端部のうち、前記電極の重なり方向と前記所定方向とに直交する方向に位置する端部から突出し、且つ前記電極の集電タブが層状に重なった集電タブ群を有し、前記押圧部材は、前記集電タブ群が突出している端部に沿って配置されることが好ましい。
【００６６】
（ハ）蓄電装置の製造設備であって、上記寸法調整装置を備えていることが好ましい。
【符号の説明】
【００６７】
ＤＳ…積層方向（重なり方向）、Ｄ１…第１方向（直交する方向）、Ｄ２…第２方向（直交する方向）、１０…二次電池（蓄電装置）、１２…電極組立体、１２ｃ…端面（端部）、１２ｅ…端面（第１端部）、１２ｆ…端面（第２端部）、１３…正極電極（電極）、１３ｃ…正極タブ（集電タブ）、１３ｄ…正極タブ群（集電タブ群）、１４…負極電極（電極）、１４ｃ…負極タブ（集電タブ）、１４ｄ…負極タブ群（集電タブ群）、３０…寸法調整装置、３１…押圧部材、３３ａ…第１凹部（第１領域）、３３ｂ…第２凹部（第２領域）、４０ａ…第１付与機構、４０ｂ…第２付与機構、４１ａ…第１ロッド、４１ｂ…第２ロッド、４２ａ…第１接触部、４２ｂ…第２接触部、４３ａ…第１スプリング、４３ｂ…第２スプリング、４７ａ…第１変更機構、４７ｂ…第２変更機構。
【図１】
2015138592.tif 000003
【図２】
2015138592.tif 000004
【図３】
2015138592.tif 000005